(57)【要約】【課題】用済後のプラスチック製のペットボトルを一部回収し植木鉢として再利用することにより、資源回収及び環境の美化に貢献できる植木鉢及びその製作方法を提供する。【解決手段】ペットボトルを切断して形成される容器５と、この容器５の下方部に形成される排水手段である排水孔６と、前記容器５の上方部に設けられた吊下手段である紐４とを有し、用済後のプラスチック製のペットボトルを切断して形成される容器を植木鉢として使用することができる。【選択図】図３
2004033049.tif 000002
【特許請求の範囲】
【請求項１】
ペットボトルを切断して形成される容器と、この容器の下方部に形成される排水手段と、前記容器の上方部に設けられた吊下手段とを有することを特徴とする植木鉢。
【請求項２】
前記容器が、プラスチック製のペットボトルを周方向に輪切りにして形成される下部容器であることを特徴とする請求項１記載の植木鉢。
【請求項３】
前記排水手段が、前記容器に設けられた複数の排水穴であることを特徴とする請求項１及び２記載の植木鉢。
【請求項４】
前記吊下手段が、前記容器を貫通して取付けられた紐であることを特徴とする請求項１乃至３記載の植木鉢。
【請求項５】
前記容器が、プラスチック製のペットボトルを周方向に輪切りにして形成される上部容器と、この上部容器の飲み口に取付けられたキャップとを具備することを特徴とする請求項１乃至４記載の植木鉢。
【請求項６】
プラスチック製のペットボトルを周方向に輪切りにして容器を形成する容器形成ステップと、この容器形成ステップで形成された容器に排水手段を設ける排水手段形成ステップと、前記容器形成ステップで形成された容器に吊下手段を設ける吊下手段形成ステップとを有することを特徴とする植木鉢の製作方法。
【０００１】
【発明の詳細な説明】
【発明の属する技術分野】
本発明は、プラスチック製のペットボトルを周方向に輪切りにして形成する植木鉢及びその製作方法に関する。
【０００２】
【従来の技術】
一般に、プラスチック製のペットボトルは、軽量で、取扱いし易く便利な為に、飲み物の容器として大量に使用されている。このプラスチック製のペットボトルは、用済後に、一部は廃棄処分され、一部は回収され再利用されている。　例えば、公開特許公報「特開２００１−１１２３４７」に記載されているように、植物を透明体で密閉状態にしてあっても、殆ど曇らずに、且つ、植物が元気に成長できる植物鑑賞体を提供できる技術が開示されている。
【０００３】
しかし、プラスチック製のペットボトルは、植物を植えた植木鉢を密閉状態にする容器として使用されているに過ぎず、依然として、市販の植木鉢を必要としていた。
【０００４】
【発明が解決しようとする課題】
上述のように従来においては、用済後のプラスチック製のペットボトルは、一部は植物鑑賞体として使用されているが、依然として市販の植木鉢を必要とし、植木鉢として直接的に使用するという資源のリサイクルの面で課題があった。
【０００５】
本発明はかかる従来の事情に対処してなされたものであり、用済後のプラスチック製のペットボトルを一部回収し植木鉢として直接的に再利用することにより、植木鉢として資源のリサイクルを可能とし、更に植木鉢に植えられた植物を鑑賞することができるので、環境の美化に貢献できる植木鉢及びその製作方法を提供することを目的とする。
【０００６】
【課題を解決するための手段】
上記目的を達成するため、本発明の請求項１に対応する植木鉢においては、ペットボトルを切断して形成される容器と、この容器の下方部に形成される排水手段と、前記容器の上方部に設けられた吊下手段とを有することを特徴とするものである。
【０００７】
このように形成された植木鉢においては、プラスチック製のペットボトルを切断して形成される容器を植木鉢として使用することにより、用済後のペットボトルを一部回収し植木鉢として再利用することができる。
【０００８】
次に、本発明の請求項２に対応する植木鉢においては、前記容器が、プラスチック製のペットボトルを周方向に輪切りにして形成される下部容器であることを特徴とするものである。
【０００９】
このように構成された植木鉢においては、プラスチック製のペットボトルを周方向に輪切りにして形成される下部容器を植木鉢として使用することにより、用済後のペットボトルを一部回収し植木鉢として再利用することができる。
【００１０】
次に、本発明の請求項３に対応する植木鉢においては、前記排水手段が、前記容器に設けられた複数の排水穴であることを特徴とするものである。
【００１１】
このように形成された植木鉢においては、前記容器に設けられた複数の排水穴を植木鉢の排水手段として使用することにより、用済後のプラスチック製のペットボトルを一部回収し植木鉢として再利用することができる。
【００１２】
次に、本発明の請求項４に対応する植木鉢においては、前記吊下手段が、前記容器を貫通して取付けられた紐であることを特徴とするものである。
【００１３】
このように構成された植木鉢においては、前記容器を貫通して取付けられた紐を植木鉢の吊下手段として使用することにより、用済後のプラスチック製のペットボトルを一部回収し植木鉢として再利用することができる。
【００１４】
次に、請求項５記載の発明では、前記容器が、プラスチック製のペットボトルを周方向に輪切りにして形成される上部容器と、この上部容器の飲み口に取付けられたキャップとを具備することを特徴とするものである。
【００１５】
このように構成された野菜栽培装置においては、プラスチック製のペットボトルを周方向に輪切りにして形成される上部容器と、この上部容器の飲み口に取付けられたキャップとを植木鉢として使用することにより、用済後のプラスチック製のペットボトルを一部回収し植木鉢として再利用することができる。
【００１６】
次に、本発明の請求項６に対応する植木鉢の製作方法においては、プラスチック製のペットボトルを周方向に輪切りにして容器を形成する容器形成ステップと、この容器形成ステップで形成された容器に排水手段を設ける排水手段形成ステップと、前記容器形成ステップで形成された容器に吊下手段を形成する吊下手段形成ステップとを有することを特徴とするものである。
【００１７】
このように形成された植木鉢の製作方法においては、容器形成ステップにおいてプラスチック製のペットボトルを周方向に輪切りにして形成される容器を植木鉢として使用することにより、用済後のプラスチック製のペットボトルを一部回収し植木鉢として再利用することができる。
【００１８】
【発明の実施の形態】
（第１の実施の形態）（請求項１〜４対応）
以下に本発明に係る植木鉢の第１の実施の形態を図１乃至図６に基づき説明する。
【００１９】
第１の実施の形態においては、図１及び２において、植木鉢１は、地面２に差込まれて組立てられた垣根を形成する支柱３等に吊下手段である紐４で支持される。
【００２０】
この植木鉢１は、図３乃至６に示すように、ペットボトルを切断して形成される容器５から形成される。この切断は、汎用のナイフ等を用いて行われる。この実施の形態においては、この容器５は、プラスチック製のペットボトルを周方向に輪切りにして形成される下部容器７が使用される。
【００２１】
この容器５の下方部には、排水手段である複数の排水穴６が形成されている。特に図６に示すように、この排水穴６は、下部容器７の底面に略均一な間隔で形成される。この排水穴６は、熱した鋼製の串（図示せず）を容器５に差込むことにより形成することができる。
【００２２】
図４に示すように、前記容器５の上部には２個の貫通孔８が設けられている。この貫通孔８は、熱した鋼製の串（図示せず）を容器５に差込むことにより形成することができる。この貫通孔８を吊下手段である紐４が通されている。この容器５を貫通した紐４が前記の支柱３等に結び付られて、植木鉢１は垣根の側面に設置される。
【００２３】
このように形成された植木装置においては、プラスチック製のペットボトルを切断して形成される下部容器７を植木鉢１として使用することにより、用済後のペットボトルを一部回収し植木鉢として再利用することができる。
【００２４】
本実施の形態によれば、用済後のプラスチック製のペットボトルを一部回収し植木鉢として再利用することができるので、植木鉢として資源のリサイクルを可能とし、更に植木鉢に植えた植物を鑑賞することできるので、環境の美化に大いに貢献することができる。
【００２５】
（第２の実施の形態）（請求項５対応）
以下に本発明に係る植木鉢の第２の実施の形態を図８に基づき説明する。
【００２６】
図８において、容器５は、プラスチック製のペットボトルを周方向に輪切りにして形成される上部容器９が使用される。この上部容器９の飲み口１０にはキャップ１１が取付けられている。このキャップ１１の上面にも、排水手段である排水穴（図示せず）が形成されている。この排水穴６は、熱した鋼製の串（図示せず）をキャップ１１に差込むことにより形成することができる。
【００２７】
なお、図７において、図３と同一部分には同一符号を付し、その部分の説明は省略する。
【００２８】
このように形成された植木鉢においては、ペットボトルを切断して形成される上部容器９とこの飲み口１０に取付けられたキャップ１１を植木鉢として使用することにより、用済後のプラスチック製のペットボトルを一部回収し植木鉢として再利用することができる。
【００２９】
本実施の形態によれば、用済後のプラスチック製のペットボトル及びキャップを一部回収し植木鉢として再利用することができるので、資源のリサイクルを可能とし、更に植木鉢に植えた植物を鑑賞することできるので、環境の美化に大いに貢献することができる。
【００３０】
（第３の実施の形態）（請求項６対応）
以下に本発明に係る植木鉢の製作方法の実施の形態を図８を用いて説明する。図８において、植木装置設置方法は、まずプラスチック製のペットボトルを周方向に輪切りにして容器５を形成する容器形成ステップ１２から構成される。
【００３１】
次に、この容器形成ステップ１２で形成された容器５に排水手段である排水孔６を設ける排水手段形成ステップ１３が設けられる。
【００３２】
また、この容器形成ステップ１２で形成された容器５に吊下手段である紐４が取付けられる吊下手段形成ステップ１４が後続される。
【００３３】
このように構成された植木鉢の製作方法においては、ペットボトルを切断して形成される容器を植木鉢として使用することにより、用済後のプラスチック製のペットボトルを一部回収し植木鉢として再利用することができる。
【００３４】
本実施の形態によれば、用済後のプラスチック製のペットボトルを一部回収し植木鉢として再利用することができるので、植木鉢として資源のリサイクルを可能とし、更に植木鉢に植えた植物を鑑賞することできるので、環境の美化に大いに貢献することができる。
【００３５】
【発明の効果】
以上説明したように、本発明の植木鉢及びその製作方法においては、プラスチック製のペットボトルを切断して形成される容器を植木鉢として直接的に再利用することにより、植木鉢として資源のリサイクルを可能とし、更に植木鉢に植えた植物を鑑賞することできるので、環境の美化に大いに貢献することができる。
【図面の簡単な説明】
【図１】本発明に係る第１実施の形態の植木鉢の設置状態を示す正面図。
【図２】本発明に係る第１実施の形態の植木鉢の設置状態を示す側面図。
【図３】第１実施の形態の植木鉢を示す正面図。
【図４】第１実施の形態の植木鉢を示す背面図。
【図５】第１実施の形態の植木鉢を示す側面図。
【図６】第１実施の形態の植木鉢を示す上面図。
【図７】第２実施の形態の植木鉢を示す正面図。
【図８】本発明に係る植木鉢の製作方法の実施の形態を示すブロック図。
【符号の説明】
１…植木鉢
２…地面
３…支柱
４…紐
５…容器
６…排水孔
７…下部容器
８…貫通孔
９…上部容器
１０…飲み口
１１…キャップ
１２…容器形成ステップ
１３…排水手段形成ステップ
１４…吊下手段形成ステップ
【図１】
2004033049.tif 000003
【図２】
2004033049.tif 000004
【図３】
2004033049.tif 000005
【図４】
2004033049.tif 000006
【図５】
2004033049.tif 000007
【図６】
2004033049.tif 000008
【図７】
2004033049.tif 000009
【図８】
2004033049.tif 000010